(57)【要約】【課題】貸出機からの情報により取得した金額と、実際に回収した金額とに食い違いがあった場合に、少なくとも、紛失のきっかけとなった貸出機の特定と、当該特定された開閉蓋の開放時刻との履歴情報を記憶しておくことで、金銭の紛失の経緯を特定する。【解決手段】既存の貸出機１８の開閉蓋２６に管理装置３０を取り付けることで、開閉蓋２６を開放した従業員とその時刻を履歴として管理することができ、回収した紙幣の紛失に関する追跡調査が可能となる。この管理装置３０は、遮蔽扉３４が開放しているときにしか、開閉蓋２６からの着脱ができない構造となっているため、不正に取り外されるようなことはない。【選択図】図３
2007175311.tif 000002
【特許請求の範囲】
【請求項１】
パチンコ球やメダルを含む遊技媒体を貸し出すための貸出機による貸出しによって蓄積される回収するための開閉蓋を遮蔽する遮蔽板と、
前記遮蔽板を開錠する開錠手段と、
個人情報が入力する入力インタフェースを備え、当該入力インタフェースを介して予め登録された個人情報が入力された場合に、前記開錠手段を作動させる開錠制御手段と、
前記開錠制御手段が作動したときの個人情報と時刻情報とを管理する管理制御手段と、
少なくとも個人情報が登録された記憶部を備え、前記入力インタフェースとの電気的接続可能とされた個人情報記憶媒体と、
を有する貸出機の開錠管理装置。
【請求項２】
前記入力インタフェースが、無線通信によって情報を取得するＲＦＩＤシステムであり、
前記個人情報記録媒体が、記憶部としてのＩＣチップを備えたＩＣタグが埋設されたＩＣカードであることを特徴とする請求項１記載の貸出機の開錠管理装置。
【請求項３】
前記入力インタフェースが、磁気読取ヘッドを備えた磁気情報読取装置であり、
前記個人情報記録媒体が、帯状の磁気記録媒体を前記記憶部として設けられた磁気カードであることを特徴とする請求項１記載の貸出機の開錠管理装置。
【請求項４】
前記遮蔽板が前記開閉蓋であり、前記開錠手段の作動による開閉蓋が開放することを特徴とする請求項１乃至請求項３の何れか１項記載の貸出機の開錠管理装置。
【発明の詳細な説明】
【技術分野】
【０００１】
本発明は、パチンコ機やパチスロ機が多数設置される遊技店に設定され、当該パチンコ機に用いるパチンコ球や、パチスロ機に用いるメダル等の遊技媒体を貸し出すための貸出機に用いられ、遊技媒体を貸し出したときの対価を回収するときに開放する開閉蓋の開錠状態を管理するための貸出機の開錠管理装置に関するものである。
【背景技術】
【０００２】
一般に、パチンコ機やパチスロ機等の遊技台を設置する遊技店では、遊技者が着座したままパチンコ球やメダル等の遊技媒体を貸し出し可能なように、並設される遊技台の間に貸出機を設置している。この貸出機は、遊技台に挟まれた状態で設置されるため、通称「サンド」と称される場合がある。
【０００３】
このような貸出機は、プリペイドカードはもちろん、現金（主として紙幣）にも対応可能であり、紙幣が投入されると、それに見合う遊技媒体を払い出す（貸し出す）ことができる。
【０００４】
この場合、投入された紙幣は、束ねられるように貸出機を所定の領域に保存されることになる。
【０００５】
基本的に、貸出機はその外観が幅細であり、容積的にも小さいため、紙幣の保存スペースも小さい。このため、保存した紙幣は、１日数回の単位で回収する必要があり、貸出機の前面には、前記紙幣の保存スペースに対応して、単純な施錠機構がついた開閉蓋が取り付けられている。
【０００６】
従業員は、ほとんど全てに共通の鍵によって開閉蓋を開放し、保存されている紙幣を回収することになる。
【０００７】
一方、ホールコンピュータには、それぞれの貸出機から、ネットワークを介して、投入された紙幣の数（金額）の情報が入力されており、この情報に基づく金額と、実際に回収した紙幣に基づく金額とを照合している。
【発明の開示】
【発明が解決しようとする課題】
【０００８】
しかしながら、この照合の際、金額があわないと、何時、どの貸出機の紙幣が紛失しているかまでは把握できず、紛失の経緯をたどることができない。また、会周した従業員も業務管理日誌等にたよるしかなく、正確な情報とは言えない。
【０００９】
本発明は上記事実を考慮し、貸出機からの情報により取得した金額と、実際に回収した金額とに食い違いがあった場合に、少なくとも、紛失のきっかけとなった貸出機の特定と、当該特定された開閉蓋の開放時刻との履歴情報を記憶しておくことで、金銭の紛失の経緯を特定することができる貸出機の開錠管理装置を得ることが目的である。
【課題を解決するための手段】
【００１０】
本発明は、パチンコ球やメダルを含む遊技媒体を貸し出すための貸出機による貸出しによって蓄積される回収するための開閉蓋を遮蔽する遮蔽板と、前記遮蔽板を開錠する開錠手段と、個人情報が入力する入力インタフェースを備え、当該入力インタフェースを介して予め登録された個人情報が入力された場合に、前記開錠手段を作動させる開錠制御手段と、前記開錠制御手段が作動したときの個人情報と時刻情報とを管理する管理制御手段と、少なくとも個人情報が登録された記憶部を備え、前記入力インタフェースとの電気的接続可能とされた個人情報記録媒体と、を有している。
【００１１】
本発明によれば、入力インタフェースに対して、個人情報記録媒体が電気的接続されると、この個人情報記録媒体の記憶部に記憶された個人情報が開錠制御手段に入力され、予め登録された個人情報との照合の結果合致すると、開錠手段を制御して、遮蔽板を開放可能とする（あるいは開放する）。
【００１２】
これにより、開閉蓋が露出し、開閉蓋を所定の鍵で開放することができる。
【００１３】
ところで、管理制御手段では、開錠制御手段が作動したときの個人情報と時刻情報とを管理する。この個人情報と時刻情報とは、例えば開錠制御手段自身で記憶しておいてもよいし、ホールコンピュータへネットワークを介して送信するようにしてもよい。
【００１４】
基本的に遮蔽板が開放可能（あるいは開放する）ということは、開閉蓋が開放されたと判断でき、この開閉蓋の開放時刻と個人情報とによって、何時、誰が開閉蓋を開放したかを確実な情報として認識することができる。
【００１５】
また、本発明において、前記入力インタフェースが、無線通信によって情報を取得するＲＦＩＤシステムであり、前記個人情報記録媒体が、記憶部としてのＩＣチップを備えたＩＣタグが埋設されたＩＣカードであることを特徴としている。
【００１６】
ＲＦＩＤシステムを用いることで、物理的に非接触でＩＣカードと入力インタフェースとを電気的接続状態とすることができる。言い換えれば、例えば、ＪＲの「Ｓｕｉｃａ」（登録商標）の如く、ＩＣカードをかざすことで、個人情報を入力インタフェース側へ送信することができる。
【００１７】
また、本発明において、前記入力インタフェースが、磁気読取ヘッドを備えた磁気情報読取装置であり、前記個人情報記録媒体が、帯状の磁気記録媒体を前記記憶部として設けられた磁気カードであることを特徴としている。
【００１８】
入力インタフェースとの電気的な接続の実施態様として、磁気カードを用いることができる。例えば、磁気カードを遮蔽板に直接、あるいは別の場所（近傍）に設けたカードスロットに装填する（差し込んだり、スリット内でスライドさせる動作）ことで、磁気カード上の個人情報を入力インタフェースで読み取ることができる。
【００１９】
さらに、本発明において、前記遮蔽板が前記開閉蓋であり、前記開錠手段の作動による開閉蓋が開放することを特徴としている。
【００２０】
一般的に開閉蓋は、既存の貸出機における構成部品の一部であり、これに追加して本発明の開錠管理装置を取り付けることが前提であるが、貸出機を新たに設計する場合には、開閉蓋そのものを遮蔽板とする、言い換えれば、個人情報の受け渡しの下で開閉蓋を開放するようにする。このような構成であっても、開閉蓋の開錠管理を確実に行うことができる。
【発明の効果】
【００２１】
以上説明した如く本発明では、貸出機からの情報により取得した金額と、実際に回収した金額とに食い違いがあった場合に、少なくとも、紛失のきっかけとなった貸出機の特定と、当該特定された開閉蓋の開放時刻との履歴情報を記憶しておくことで、金銭の紛失の経緯を特定することができるという優れた効果を有する。
【発明を実施するための最良の形態】
【００２２】
図１には、遊技店（以下、「ホール」という）における、各遊技機１０の稼動情報を管理するネットワークシステム１２が示されている。
【００２３】
遊技機１０には、それぞれ図示しないインタフェースが取り付けられており、遊技機用ネットワーク１４を介して、ホールコンピュータ１６と接続されている。この遊技機用ネットワーク１４により、各遊技機１０における所謂遊技媒体の収支の情報（パチンコ機の場合はパチンコ球の払出数と回収数との比率をいい、パチスロ機の場合はメダルの払出数と回収数との比率をいう。以下、総称して「出球率情報」という）がホールコンピュータ１６へ送出されるようになっている。
【００２４】
これにより、ホールコンピュータ１６では、ホール内の全ての遊技機１０の出球率情報を一括管理することができ、例えば、次営業時の遊技機の調整の基準とする。
【００２５】
図２に示される如く、遊技機１０と遊技機１０との間には、貸出機１８が配設されている。構成上、遊技機１０の間に挟まれているため、この貸出機１８は「サンド」と呼称する場合がある。
【００２６】
貸出機１８は、遊技機１０がパチンコ機の場合はパチンコ球を貸し出し、遊技機１０がパチスロ機の場合にはメダルを貸し出す。以下、パチンコ球やメダルを総称して、「遊技媒体」という。
【００２７】
貸出機１８の上部には、プリペイドカード挿入口２０が設けられており、予めプリペイドカードを購入した遊技者は、当該プリペイドカードをプリペイドカード挿入口２０に挿入し、所定の操作をすることで、残数に応じた遊技媒体が貸し出されるようになっている。なお、貸出機１８が遊技機１０と１:１で対応している場合は、貸出機１８から対応する遊技機１０に球貸信号を送出することで、遊技機１０に設けられた払出装置が作動して遊技媒体を払い出す。
【００２８】
一方、貸出機１８が遊技機１０と連動していない場合は、貸出機１８に設けられた遊技媒体の払出口から遊技媒体が払い出されるようになっている。
【００２９】
前記プリペイドカード挿入口２０の下部には、紙幣挿入口２２が設けられている。この紙幣挿入口２２を設けることにより、プリペイドカードを持っていない遊技者、あるいはプリペイドカードの残数がなくなってしまった遊技者が、プリペイドカードを購入するために離席することなく、着座したまま紙幣を投入することで遊技媒体の貸し出しを可能としている。
【００３０】
投入された紙幣は、貸出機１８内に回収され、貸出機１８の下部の回収領域（図示省略）に回収されるようになっている。
【００３１】
また、貸出機１８は、図１に示される如く、それぞれ貸出機用ネットワーク２４を介してホールコンピュータ１６に接続されている。これにより、ホールコンピュータ１６には、遊技媒体の貸し出し数や、紙幣の回収数等の貸出情報が集約され、一括管理されるようになっている。
【００３２】
ところで、貸出機１８は、構造上、容積が小さいため、蓄積する紙幣の数にも限度がある。このため、一般的には、１日数回の単位で、蓄積した紙幣を回収する必要がある。この回収は、人手により実行される。
【００３３】
図３に示される如く、貸出機１８の下部には、紙幣が蓄積された回収領域と連通する開口部を閉塞する開閉蓋２６が設けられている。開閉蓋２６には、鍵前（図３では、鍵穴部２８を図示）が設けられ、所定の鍵によって開放可能となっている。紙幣の回収時には、例えば、従業員が所定の鍵（一般には、全ての貸出機１８の鍵穴に共通の鍵）を持参して、１台ずつ開閉蓋２６を開放して回収していく。
【００３４】
回収された紙幣の枚数は、予め前記貸出機用ネットワーク２４（図１参照）を介してホールコンピュータ１６に貸出情報の一部として集約された情報に基づく金額と照合する。
【００３５】
ここで、従来の管理体制では、この照合の結果が不一致の場合、追跡調査ができなかった。そこで、本実施の形態では、前記開閉蓋２６の開放時の時刻や開放した従業員を特定する管理装置３０を設けた。
【００３６】
図３に示される如く、管理装置３０は、前記開閉蓋２６の前面に取り付けられている。
【００３７】
管理装置３０は、その外形が、矩形の箱状で、四辺に壁部が形成された本体３２と、この本体３２の開口部３２Ａを遮蔽する板状の遮蔽扉３４とで構成されている。
【００３８】
遮蔽扉３４は、本体３２の一方の長辺に図示しない蝶番を介して取り付けられ、当該蝶番を介して回転することで、本体３２の開口部３２Ａを遮蔽する位置、並びに開放する位置の少なくとも２位置を取り得る構成となっている。
【００３９】
本体３２には、ロック機構部３６が配設されており、このロック機構部３６によって、通常は遮蔽扉３４は、開口部３２Ａを遮蔽する位置に保持されており、後述する開錠指示によって、保持が解除されるようになっている。保持が解除されているときは、例えば、手動により開放が可能となり、その後、再度遮蔽すると、自動的に保持が再開し、次の開錠指示まで開放しない。
【００４０】
なお、ロック機構部３６は、単純にソレノイドのオン・オフによってフックを掛け止め、あるいは掛け止めを解除するような単純は構成であってもよい。
【００４１】
本体３２の底板には、前記開閉蓋２６に設けられた鍵穴部２８に対向する位置に円孔３２Ｂが設けられている。また、この底板には、３箇所にビス３８が通過する小孔３２Ｃが設けられ、本体３２と開閉蓋２６を密着させた状態で、ビス３８をこの小孔３２Ｃを貫通させ、開閉蓋２６に螺合することで、管理装置３０を開閉蓋２６へ固定することができる構成となっている。この固定時に、前記円孔３２Ｂから鍵穴部２８が露出することになる。
【００４２】
なお、開口部３２Ａが遮蔽扉３４によって閉塞されているときは、ビス３８も隠れるため、取り外しが不可能な状態となる。
【００４３】
また、本体３２の内部には、ＲＦＩＤシステム４０（図４参照）が搭載されたＩＤ管理部４２と、照合したＩＤを管理する管理制御部４４とが設けられている。前記ロック機構部３６は、ＩＤ管理部４２から出力される開錠指示信号に基づいて動作（開錠）するようになっている。
【００４４】
この開錠動作によって、遮蔽扉３４が開放すると、前記鍵穴部２８が露出するため、従業員は所定の鍵を用いて開閉蓋２６を開放し、内部の紙幣を回収することが可能となる。
【００４５】
図４には、前記ＩＤ管理部４２と管理制御部４４との制御を機能的に示したブロック図が示されている。
【００４６】
ＩＤ管理部４２には、前述の如くＲＦＩＤシステム４０が搭載されている。ＲＦＩＤシステム４０は、送信部４６と受信部４８と設けられ、送信部４６には、発振器５０が接続されている。このため、送信部４６は、発振器５０によって発振した所定の周波数の電波を生成し、アンテナ５２を介して所定の領域に電波を発信する。
【００４７】
この所定の領域内に前記所定の周波数の電波によって起動する無線タグ５４が存在することで、無線タグ５４に設けられたメモリ５６に予め記憶された個人情報（ＩＤ情報）に関する電波が送信され、これをアンテナ５２を介して受信部４８で受信する構成となっている。
【００４８】
無線タグ５４は、ＩＣカード５８に埋め込まれており、予め所持するホールの従業員を特定する個人情報（ＩＤ情報）が前記メモリ５６に記憶されるようになっている。
【００４９】
受信部４８によって受信した電波は、ＩＤ取得部６０に送出され、ＩＤ情報に解析された後、照合部６２へ送られる。
【００５０】
照合部６２には、登録ＩＤメモリ６４が接続されており、ＩＤ取得部６０から入力されたＩＤ情報が、予め登録されているＩＤ情報と一致するか否かを判断する。すなわち、複数の従業員のそれぞれを特定するＩＤ情報を登録ＩＤメモリ６４に登録しておくことで、ＩＣカード５８の所持者として適性か否かが判断される。
【００５１】
照合部６２は、開錠指示部６６、及び管理制御部４４の管理情報生成部６８に接続されている。ここで、照合部６２での照合の結果、ＩＤ情報が一致した場合には、開錠指示部６６に開錠許可信号が送出され、並びに管理情報生成部６２に、照合部６２で一致したＩＤ情報が送出されるようになっている。
【００５２】
開錠指示部６６では、開錠許可信号の入力に基づき、前述したようにロック機構部３６へ開錠指示信号を出力する。
【００５３】
一方、管理情報生成部６８には、クロック７０が接続されている。この管理情報生成部６８にＩＤ情報が入力されると、当該ＩＤ情報と、ＩＤ情報が管理情報性精部に入力した時刻とで構成される紙幣管理情報が生成され、管理情報出力部７２へ送出する。
【００５４】
管理情報出力部７２では、Ｉ／Ｆ７４を介して、貸出機用ネットワーク２４を通じてホールコンピュータ１６へ紙幣管理情報（ＩＤ情報と時刻）を送出する。
【００５５】
以下に本実施の形態の作用を説明する。
【００５６】
図５は、貸出機１８に取り付けられた管理装置３０における遮蔽扉３４の開錠制御の流れを示すフローチャートである。
【００５７】
ステップ１００では、送信部４６において、所定の周波数の電波の発信を開始し、次いでステップ１０２へ移行して受信部４８で返信電波を受信したか否かが判断される。
【００５８】
このステップ１０２で肯定判定、すなわち電波を受信すると、ステップ１０４へ移行して受信した電波からＩＤ情報を抽出する。また、ステップ１０２で否定判定された場合には、後述するステップ１２０へ移行する。
【００５９】
次のステップ１０４での処理の後、ステップ１０６では、登録ＩＤメモリ６４から登録されているＩＤ情報を読み出し、次いでステップ１０８へ移行して、抽出したＩＤ情報が登録しているＩＤ情報の中に存在するか否かの照合を行い、ステップ１１０へ移行する。
【００６０】
ステップ１１０では、前記照合の結果、一致したか否かが判断され、肯定判定されるとステップ１１２へ移行する。また、ステップ１１０で否定判定された場合には、後述するステップ１２０へ移行する。
【００６１】
ステップ１１２では、ロック機構部３６に対して開錠信号を出力する。これにより、ロック機構部３６では、遮蔽扉３４を開放する（あるいは開放を可能とする）。
【００６２】
遮蔽扉３４が開放すると、貸出機１８の開閉蓋２６に取り付けられている鍵穴部２８が露出するため、この鍵穴部２８へ所定の鍵を挿入し回転操作等を行うことで、開閉蓋２６を開放することができる。この結果、紙幣の回収が可能となる。
【００６３】
前記ステップ１１２で開錠信号を出力した後、次のステップ１１４では、このときの時刻を取り込み、次いでステップ１１６へ移行してＩＤと時刻とをセットにして紙幣管理情報を生成する。
【００６４】
次のステップ１１８では、生成された紙幣管理情報をホールコンピュータ１６へ送信し、ステップ１２０へ移行する。
【００６５】
ステップ１２０には、前記ステップ１０２で否定判定、あるいはステップ１１０で否定判定した場合にも移行し、このステップ１２０では営業が終了（例えば、１日の営業が終了）したか否かが判断され、否定判定された場合には、ステップ１０２へ戻り、上記工程を繰り返す。すなわち、営業時間中は常に継続されることになる。なお、営業が終了とは、ホールの閉店のみならず、メイン電源をオフしたときを含む。従って、回収が閉店後、相当の時間が経過した後であっても、電源が投入されている限りこの処理は有効である。
【００６６】
また、ステップ１２０で肯定判定された場合には、ステップ１２２へ移行して電波の発信を停止して、このルーチンは終了する。
【００６７】
次に、図６はホールコンピュータ１６における貸出機管理制御の流れを示しており、ステップ１５０では従業員ＩＤを登録する。すなわち、従業員は時間毎に交代する場合があり、この交代に応じてＩＤの登録を更新する必要がある。
【００６８】
次のステップ１５２では、各貸出機１８へ登録したＩＤを送信する。貸出機１８では、このＩＤ情報を登録ＩＤメモリ６４に逐次更新記憶する。
【００６９】
次のステップ１５４では、貸出情報（この中に、紙幣管理情報も含まれる）が入力したか否かが判断され、肯定判定された場合には、ステップ１５６へ移行してデータベース化処理後、ステップ１５８へ移行する。また、ステップ１５４で否定判定された場合は、ステップ１５８へ移行する。
【００７０】
ステップ１５８では、従業員の交代があったか否かが判断され、肯定判定されると、ステップ１５０へ戻り、ＩＤ情報の登録を実行する。
【００７１】
また、ステップ１５８で否定判定の場合には、ステップ１６０へ移行して営業終了か（１日の営業時間の終了か）否かが判断される。このステップ１６０で否定判定の場合には、ステップ１５４へ戻り、上記工程を繰り返す。すなわち、営業時間中は常に継続されることになる。なお、営業が終了とは、ホールの閉店のみならず、メイン電源をオフしたときを含む。従って、回収が閉店後、相当の時間が経過した後であっても、電源が投入されている限りこの処理は有効である。
【００７２】
また、ステップ１６０で肯定判定されると、ステップ１６２へ移行してデータベースの集計管理を実行する。
【００７３】
次のステップ１６４では、集計管理したデータベースから紙幣枚数情報を読み出し、次いでステップ１６６へ移行して紙幣枚数を出力（表示）する。なお、出力は、プリントアウトであってもよい。
【００７４】
次のステップ１６８では、その他の情報（所謂出球管理）処理を実行し、このルーチンは終了する。
【００７５】
ここで、紙幣枚数の出力により、管理者は、ホール内の貸出機１８から回収されてくる紙幣との照合を図ることになるが、このとき、情報に基づく枚数と、実際に回収された紙幣枚数とに差があった場合、従来は、その追跡調査が全く行うことができず、いつどこで紛失したかの特定ができなかった。
【００７６】
しかし、本実施の形態では、各貸出機１８の開閉蓋２６を開放する際に、ＩＣカード５８をかざして遮蔽扉３４を開放しなければ開閉蓋２６の開放ができないため、開閉蓋２６の開放時のＩＤ情報と時刻が認識できている。従って、例えば、貸出機１８毎の紙幣の枚数を個別に照合することで、紛失した貸出機を特定することができ、かつかなりの高い確率で開閉蓋２６を開放した従業員と特定することができるため、紛失の追跡調査が可能となる。
【００７７】
このように本実施の形態では、既存の貸出機１８の開閉蓋２６に管理装置３０を取り付けることで、開閉蓋２６を開放した従業員とその時刻を履歴として管理することができ、回収した紙幣の紛失に関する追跡調査が可能となる。
【００７８】
この管理装置３０は、遮蔽扉３４が開放しているときにしか、開閉蓋２６からの着脱ができない構造となっているため、不正に取り外されるようなことはない。
【００７９】
なお、本実施の形態では、管理装置３０を既存の貸出機１８に取り付けることを前提としたが、貸出機１８を新たに設計、製造する場合には、開閉蓋２６自体をＩＣカード５８で開放する構成とすれば、さらに構成部品を簡略化することができる。
【００８０】
また、本実施の形態では、入力インタフェースとしてＲＦＩＤシステムを用いたが、磁気カードを用いたＩＤ情報の伝達手段を用いてもよい。また、キーワードや暗証番号の入力であってもよい。
【００８１】
さらに、ホールコンピュータ１６によって紙幣枚数を一括管理するようにしたが、個々の貸出機１８毎に投入枚数を記憶しておき、その場で照合するようにしてもよい。
【００８２】
また、図７に示される如く、ホール内の島９０の単位で、各遊技機１０間に設けた貸出機１８に入金した紙幣をベルトコンベア９２等によって、島端まで搬送し、一括して回収する島金庫９４が存在する場合は、この島金庫９４に対して、上記管理装置３０を設けるようにしてもよい。
【図面の簡単な説明】
【００８３】
【図１】本実施の形態に係るホール内のネットワークシステム構築図である。
【図２】ホール内に設置される遊技機と貸出機との関係を示す正面図である。
【図３】貸出機に取り付けられる管理装置の斜視図である。
【図４】管理装置による制御を機能的に示したブロック図である。
【図５】本実施の形態に係る管理装置の動作の流れを示す制御フローチャートである。
【図６】本実施の形態に係るホールコンピュータの動作の流れを示す制御フローチャートである。
【図７】遊技機の島単位で島金庫が設けられている場合に、島金庫に管理装置の設置した場合の平面図である。
【符号の説明】
【００８４】
１０    遊技機
１２    ネットワークシステム
１４    遊技機用ネットワーク
１６    ホールコンピュータ
１８    貸出機
２０    プリペイドカード挿入口
２２    紙幣挿入口
２４    貸出機用ネットワーク
２６    開閉蓋
２８    鍵穴部
３０    管理装置
３２    本体
３２Ａ    開口部
３４    遮蔽扉（遮蔽板）
３６    ロック機構部（開錠手段）
３２Ｂ    円孔
３８    ビス
３２Ｃ    小孔
４０    ＲＦＩＤシステム（入力インタフェース）
４２    ＩＤ管理部（開錠制御手段）
４４    管理制御部（管理制御手段）
４６    送信部
４８    受信部
５０    発振器
５２    アンテナ
５４    無線タグ（個人情報記録媒体）
５６    メモリ（個人情報記録媒体）
５８    ＩＣカード（個人情報記録媒体）
６０    ＩＤ取得部
６２    照合部
６４    登録ＩＤメモリ
６６    開錠指示部
６８    管理情報生成部
７０    クロック
７２    管理情報出力部
７４    Ｉ／Ｆ
【図１】
2007175311.tif 000003
【図２】
2007175311.tif 000004
【図３】
2007175311.tif 000005
【図４】
2007175311.tif 000006
【図５】
2007175311.tif 000007
【図６】
2007175311.tif 000008
【図７】
2007175311.tif 000009